(57)【要約】【課題】  この発明は、サーバがメニュー画面データおよびコンテンツを特定するための番組配列情報を送信する際に、ネットワークの負荷を低減させることができるようになるブロードバンド放送対応のデジタルテレビ受信機を提供することを目的とする。【解決手段】  サーバから送信されたネットワーク経由のＩＰパケットを受信する手段、および受信したＩＰパケットのデータをＭＰＥＧ２−ＴＳ形式に変換して、ＴＳ−ＤＥＭＵＸ・ＡＶデコーダ部に出力する手段を備えたブロードバンド放送対応のデジタルテレビ受信機において、メニュー画面データをサーバに要求した際に、サーバから送られてくるメニュー画面データおよびコンテンツを特定するための番組配列情報をメモリに保存する手段、およびメモリに保存したメニュー画面データおよび番組配列情報を、繰り返しＴＳ−ＤＥＭＵＸ・ＡＶデコーダ部に出力する手段を備えている。【選択図】  図４
2005094141.tif 000002
【特許請求の範囲】
【請求項１】
サーバから送信されたネットワーク経由のＩＰパケットを受信する手段、および受信したＩＰパケットのデータをＭＰＥＧ２−ＴＳ形式に変換して、ＴＳ−ＤＥＭＵＸ・ＡＶデコーダ部に出力する手段を備えたブロードバンド放送対応のデジタルテレビ受信機において、
メニュー画面データをサーバに要求した際に、サーバから送られてくるメニュー画面データおよびコンテンツを特定するための番組配列情報をメモリに保存する手段、および
メモリに保存したメニュー画面データおよび番組配列情報を、繰り返しＴＳ−ＤＥＭＵＸ・ＡＶデコーダ部に出力する手段、
を備えていることを特徴とするブロードバンド放送対応のデジタルテレビ受信機。
【発明の詳細な説明】
【技術分野】
【０００１】
この発明は、ブロードバンド放送対応のデジタルテレビ受信機に関する。
【背景技術】
【０００２】
図１は、デジタルテレビ放送を受信する従来のデジタルテレビ受信機の構成を示している。
【０００３】
従来のデジタルテレビ受信機１は、放送波を受信するデジタルチューナー１１、チューナー１１から出力されたＭＰＥＧ２−ＴＳが入力されるＴＳ−ＤＥＭＵＸ・ＡＶデコーダ部１２およびこれらを制御するＣＰＵ１３を備えている。チューナー１１から出力されたＭＰＥＧ２−ＴＳは、ＴＳ−ＤＥＭＵＸ・ＡＶデコーダ部１２内のＴＳ−ＤＥＭＵＸによって、ＡＶデータと番組配列情報に分離される。ＡＶデータは、ＴＳ−ＤＥＭＵＸ・ＡＶデコーダ部１２内のＡＶデコーダによってデコード処理されて、アナログの映像信号および音声信号として出力される。映像信号はモニタ２０に送られ、音声信号は図示しないスピーカに送られる。番組配列情報は、ＣＰＵ１３によって取得され、チャンネル遷移やＥＰＧの描画のために利用される。
【０００４】
図２に示すように、図１に示すデジタルテレビ受信機１にイーサネット（登録商標）機能を付加することによって、イーサネット（登録商標）経由で番組を取得して提示することが可能である。なお、図２において、１４は、イーサネット（登録商標）部であり、１５はチューナー１１からのＭＰＥＧ２−ＴＳおよびイーサネット（登録商標）経由で得られたＭＰＥＧ２−ＴＳのうち一方を選択してＴＳ−ＤＥＭＵＸ・ＡＶデコーダ部１２に送るためのセレクタである。このようなデジタルテレビ受信機２では、イーサネット（登録商標）部１４によって、サーバ３０から出力されるＩＰパケットが受信され、ＣＰＵ１３に供給される。
【０００５】
ＣＰＵ１３は、受信したＩＰパケットをチューナ出力と同様なＭＰＥＧ２−ＴＳ形式に変換した後、ＴＳ−ＤＥＭＵＸ・ＡＶデコーダ部１２へ出力する。ＴＳ−ＤＥＭＵＸ・ＡＶデコーダ部１２では、ＣＰＵ１３から入力されるＭＰＥＧ２−ＴＳが、従来と同様に処理される。このようにして、イーサネット（登録商標）経由のテレビ番組（ブロードバンド放送番組）を視聴することが可能となる。
【０００６】
イーサネット（登録商標）経由で出力されるＭＰＥＧ２−ＴＳをデジタルテレビ受信機で放送波を受信した場合に出力されるＭＰＥＧ２−ＴＳと同様の形式とすれば、デジタルテレビ受信機のソフトウエアを変更せずに、イーサネット（登録商標）デバイスの制御を追加するだけで、イーサネット（登録商標）経由のテレビ番組を視聴することが可能となる。しかしながら、ＴＳ−ＤＥＭＵＸ・ＡＶデコーダ部１２には、後述するように、絶え間なくデータを送り続けなければ、正常に再生が行われない。このため、サーバ３０は、デジタルテレビ受信機２からブロードバンド放送のコンテンツ（番組）を選択させるためのメニュー画面を表示させるためのメニュー画面データが要求されたときには、メニュー画面データとコンテンツ（番組）を特定するための番組配列情報とを繰り返し送信する必要があり、ネットワークに負荷がかかるという問題がある。
【０００７】
例えば、メニュー画面データが３つのＩＰパケット（ＢＭＬ（１）、ＢＭＬ（２）およびＢＭＬ（３））から構成されている場合には、図３に示すように、ＰＡＴ(Program Association Table) 、ＰＭＴ(Program Map Table) 等のコンテンツを特定するための番組配列情報と、ＢＭＬ（１）、ＢＭＬ（２）およびＢＭＬ（３）から構成されるメニュー画面データとを繰り返しサーバ３０から送信する必要がある。メニュー画面データは、ＢＭＬ(Broadcast Markup Language) で記述されている。
【０００８】
ＴＳ−ＤＥＭＵＸ・ＡＶデコーダ部１２に絶え間なくデータを送り続けなければ、正常に再生が行われない理由について説明する。
【０００９】
ＭＰＥＧ２−ＴＳは、映像、音声、ＢＭＬ、複数の番組配列情報で構成されており、それらはそれぞれ異なるＰＩＤ（パケット識別子）が付加されている。また、１つのＭＰＥＧ２−ＴＳで、複数のテレビ番組を多重して伝送することが可能である。
【００１０】
視聴したいテレビ番組の映像、音声、ＢＭＬを再生するためには、その番組を構成する映像、音声、ＢＭＬのＰＩＤが記述されている番組配列情報を取得し、取得した番組配列情報からＰＩＤを特定する必要がある。
【００１１】
番組配列情報は次の順番で取得する。まず、放送番組に関連するＰＭＴのＰＩＤが記述されているＰＡＴを取得し、取得したＰＡＴの中から視聴したいテレビ番組のＰＭＴのＰＩＤを抜き出す。次に、視聴したい番組のＰＭＴを取得し、取得したＰＭＴの中から映像、音声、ＢＭＬのＰＩＤを抜き出す。それらのＰＩＤをＴＳ−ＤＥＭＵＸ・ＡＶデコーダ部に設定することで、テレビ番組を視聴することが可能になる。
【００１２】
以上のように、番組配列情報はテレビ番組を視聴しようとするときに必要な情報であるため、ユーザがいつでも好きな時間にテレビ番組の視聴を開始するためには、番組配列情報を絶えず放送する必要がある。実際の放送においては、放送事業者で規定される一定の周期で同じ内容の番組配列情報を再送している。また、デジタルテレビ受信機のソフトウェアは番組配列情報が常に再送されることを前提にプログラムされているため、番組配列情報が再送されない場合には、例えば、ＰＡＴを取得できてもＰＡＴの中からＰＭＴのＰＩＤを抜き出す処理を行っている間にＰＭＴが伝送されてしまい、ＰＭＴを取得しようとしたときには、ＰＭＴが取得できないなどの不具合が発生し、テレビ番組を正常に再生することができなくなる。
【００１３】
このような理由により、イーサネット（登録商標）経由で放送されるテレビ番組においても、番組配列情報を再送しなければ、テレビ番組を正常に再生することができなくなる。
【特許文献１】特開平０８−２９７６０２号公報
【発明の開示】
【発明が解決しようとする課題】
【００１４】
この発明は、サーバがメニュー画面データおよびコンテンツを特定するための番組配列情報を送信する際に、これらのデータを繰り返し送る必要がなくなり、ネットワークの負荷を低減させることができるようになるブロードバンド放送対応のデジタルテレビ受信機を提供することを目的とする。
【課題を解決するための手段】
【００１５】
請求項１に記載の発明は、サーバから送信されたネットワーク経由のＩＰパケットを受信する手段、および受信したＩＰパケットのデータをＭＰＥＧ２−ＴＳ形式に変換して、ＴＳ−ＤＥＭＵＸ・ＡＶデコーダ部に出力する手段を備えたブロードバンド放送対応のデジタルテレビ受信機において、メニュー画面データをサーバに要求した際に、サーバから送られてくるメニュー画面データおよびコンテンツを特定するための番組配列情報をメモリに保存する手段、およびメモリに保存したメニュー画面データおよび番組配列情報を、繰り返しＴＳ−ＤＥＭＵＸ・ＡＶデコーダ部に出力する手段を備えていることを特徴とする。
【発明の効果】
【００１６】
この発明によれば、サーバがメニュー画面データおよびコンテンツを特定するための番組配列情報を送信する際に、これらのデータを繰り返し送る必要がなくなり、ネットワークの負荷を低減させることができるようになる。
【発明を実施するための最良の形態】
【００１７】
以下、図面を参照して、この発明の実施例について説明する。
【実施例】
【００１８】
図４は、ブロードバンド放送対応のデジタルテレビ受信機の構成を示している。
【００１９】
図４において、図２と同じものには、同じ符号を付してその説明を省略する。
【００２０】
デジタルテレビ受信機３は、リモコン送信機（リモコン）１９を備えている。デジタルテレビ受信機３には、リモコン１９からのリモコン信号を受信するリモコン受光器１６が設けられている。リモコン受光器１６で受信されたリモコン信号は、ＣＰＵ１３に送られる。ＣＰＵ１３は、そのプログラム等を記憶するＲＯＭ１７および必要なデータを記憶するＲＡＭ１８を備えている。
【００２１】
デジタル放送受信時の動作について説明する。
【００２２】
図示しないアンテナに接続されたデジタルチューナー１１に対して、ＣＰＵ１３からチューニングの指示が設定されることにより、チューナー１１から指定したチャンネルに対応するＭＥＧ２−ＴＳが出力される。                                                    
【００２３】
チューナー１１から出力されたＭＰＥＧ２−ＴＳは、ＴＳ−ＤＥＭＵＸ・ＡＶデコーダ部１２に送られる。ＴＳ−ＤＥＭＵＸ・ＡＶデコーダ部１２では、ＰＡＴ、ＰＭＴ等の映像音声を選択するためのパケットをＭＰＥＧ２−ＴＳから分離し、番組配列情報としてＣＰＵ１３に出力する。ＭＰＥＧ２−ＴＳに含まれている番組配列情報は内容に変更がなくても繰り返し放送されているため、番組配列情報を抜き出すタイミングは自由である。
【００２４】
ＣＰＵ１３は、番組配列情報から、映像音声のＰＩＤ（パケット識別子）を取得し、取得したＰＩＤをＴＳ−ＤＥＭＵＸ・ＡＶデコーダ部１２内のＴＳ−ＤＥＭＵＸに設定する。ＴＳ−ＤＥＭＵＸ・ＡＶデコーダ部１２内のＴＳ−ＤＥＭＵＸは、設定されたＰＩＤに対応するパケットをＭＰＥＧ２−ＴＳから分離して、ＴＳ−ＤＥＭＵＸ・ＡＶデコーダ部１２内のＡＶデコーダに出力する。ＴＳ−ＤＥＭＵＸ・ＡＶデコーダ部１２内のＡＶデコーダは、入力されたパケットから映像音声をデコードし、アナログ信号に変換した後、出力する。ＡＶデコーダによって得られた映像信号はモニタ２０に送られ、音声信号は図示しないスピーカに送られる。
【００２５】
デジタル放送のテレビ番組が提示されているときに、イーサネット（登録商標）経由の番組を提示させるときの動作について説明する。
【００２６】
ユーザがリモコン１９を操作することによって、イーサネット（登録商標）経由の番組への切替えを要求すると、その旨を表すリモコン信号がリモコン１９から出力される。このリモコン信号は、リモコン受光器１６を介してＣＰＵ１３に送られる。
【００２７】
ＣＰＵ１３は、受信したリモコン信号がイーサネット（登録商標）経由の番組を要求するものであると判別すると、サーバ３０に対して、メニュー画面データを要求する。サーバ３０は、この要求に応じて、図５に示すように、ＰＡＴおよびＰＭＴからなる番組配列情報と、ＢＭＬ（１）、ＢＭＬ（２）およびＢＭＬ（３）から構成されるメニュー画面データとを、デジタルテレビ受信機に送信する。ＰＡＴ、ＰＭＴ、ＢＭＬ（１）、ＢＭＬ（２）およびＢＭＬ（３）は、ＩＰパケットとして送信される。
【００２８】
受信機のＣＰＵ１３は、番組配列情報（ＰＡＴ、ＰＭＴ）とメニュー画面データ（ＢＭＬ（１）、ＢＭＬ（２）およびＢＭＬ（３））とを受信すると、受信したこれらのデータをＲＡＭ１８に保存する。ＣＰＵ１３は、セレクタ１５がＣＰＵ１３から出力されるＭＰＥＧ２−ＴＳを選択するように、セレクタ１５を制御する。そして、ＣＰＵ１３は、ＲＡＭ１８に保存している番組配列情報とメニュー画面データとをＭＰＥＧ２−ＴＳ形式に変換して、図６に示すように、繰り返し、セレクタ１５に出力する。セレクタ１５に出力された番組配列情報とメニュー画面データ（ＴＳ化されている）は、ＴＳ−ＤＥＭＵＸ・ＡＶデコーダ部１２に送られる。
【００２９】
ＴＳ−ＤＥＭＵＸ・ＡＶデコーダ部１２内のＴＳ−ＤＥＭＵＸは、番組配列情報からＰＡＴを取得し、ＣＰＵ１３に送信する。ＣＰＵ１３は、ＴＳ−ＤＥＭＵＸから受信したＰＡＴの中からイーサネット（登録商標）経由の番組のＰＭＴ＿ＰＩＤを抜き出し、ＴＳ−ＤＥＭＵＸにそのＰＩＤを設定する。
【００３０】
ＴＳ−ＤＥＭＵＸは、ＣＰＵ１３によって設定されたＰＭＴ＿ＰＩＤに基づいてＰＭＴを取得して、ＣＰＵ１３に送信する。ＣＰＵ１３は、ＴＳ−ＤＥＭＵＸから受信したＰＭＴの内容を解析し、メニュー画面を記述したＢＭＬのＰＩＤを抜き出す。ＣＰＵ１３は、抜き出したＢＭＬのＰＩＤをＴＳ−ＤＥＭＵＸに設定する。
【００３１】
ＴＳ−ＤＥＭＵＸは、ＣＰＵ１３によって設定されたＰＩＤに基づいて、メニュー画面を記述したＢＭＬを取得し、ＣＰＵ１３に送信する。ＣＰＵ１３は、受信したＢＭＬを解析し、メニュー画面をモニタ２０に表示（オンスクリーン表示）させる。
【００３２】
モニタ２０に表示されたメニュー画面から、ユーザがリモコン１９によって所望のコンテンツを選択すると、ＣＰＵ１３はサーバ３０に対して、コンテンツの識別番号とともにコンテンツの送信要求を送信する。サーバ３０は、これを受信すると、該当するコンテンツ（映像音声のデータ）を受信機に送信する。
【００３３】
ＣＰＵ１３は、ＴＳ−ＤＥＭＵＸ・ＡＶデコーダ部１２内のＴＳ−ＤＥＭＵＸから既に受信しているＰＭＴの中から、該当するコンテンツの映像音声のＰＩＤを抜き出し、抜き出したＰＩＤをＴＳ−ＤＥＭＵＸ・ＡＶデコーダ部１２内のＴＳ−ＤＥＭＵＸに設定する。また、ＣＰＵ１３は、サーバ３０から受信したデータをＴＳ化した後、セレクタ１５を介してＴＳ−ＤＥＭＵＸ・ＡＶデコーダ部１２に送る。
【００３４】
ＴＳ−ＤＥＭＵＸ・ＡＶデコーダ部１２内のＴＳ−ＤＥＭＵＸは、ＣＰＵ１３によって設定されたＰＩＤに基づいて、映像音声データを抜き出し、ＴＳ−ＤＥＭＵＸ・ＡＶデコーダ部１２内のＡＶデコーダに送る。ＡＶデコーダは、送られてきた映像音声データをデコード処理して出力する。
【図面の簡単な説明】
【００３５】
【図１】従来のデジタルテレビ受信機の構成を示すブロック図である。
【図２】イーサネット（登録商標）経由のコンテンツを受信できるデジタルテレビ受信機の構成を示すブロック図である。
【図３】番組配列情報とメニュー画面データとが繰り返しサーバから送信されている場合の送信データを示す模式図である。
【図４】本発明の実施例を示すブロック図である。
【図５】サーバからの送信データを示す模式図である。
【図６】ＣＰＵから出力されるＭＰＥＧ２−ＴＳを示す模式図である。
【符号の説明】
【００３６】
３  デジタルテレビ受信機
１１  デジタルチューナー
１２  ＴＳ−ＤＥＭＵＸ・ＡＶデコーダ部
１３  ＣＰＵ
１４  イーサネット（登録商標）部
１５  セレクタ
１６  リモコン受光器
１７  ＲＯＭ
１８  ＲＡＭ
１９  リモコン
３０  サーバ
【図１】
2005094141.tif 000003
【図２】
2005094141.tif 000004
【図３】
2005094141.tif 000005
【図４】
2005094141.tif 000006
【図５】
2005094141.tif 000007
【図６】
2005094141.tif 000008